(57)【要約】      （修正有）【課題】各月の始まりを二十四節気の節入りの日、各月の終わりを次の節入りの日の前日とする期間を一か月として容易に認識することができ、同時に各月各日の干支、九星、六曜、月齢の情報を得ることができる、カレンダー、手帳等の印刷物を提供する。【解決手段】各月の始まりを二十四節気の節入りの日１、各月の終わりを次の節入りの日１の前日とし、これを一か月の単位として一覧可能な範囲に表示することにより、カレンダーや手帳において複数枚を交互にめくり閲覧参照する必要をなくすとともに、各月各日に干支４、九星５、六曜６、月齢７、８を表記し、それぞれを一目で認識することができるように配置した。【選択図】図１
0003204351.tif 000002
【実用新案登録請求の範囲】
【請求項１】
日付が印刷されたカレンダー、手帳、その他の印刷物であって、前記日付が節入りの日から次の節入りの日の前日までを一か月単位として印刷されたことを特徴とする印刷物。
【請求項２】
請求項１に記載された印刷物であって、少なくとも前記節入りの日から次の節入りの日の前日までの一か月の単位が一覧可能な範囲に表示されていることを特徴とする印刷物。
【請求項３】
請求項１又は請求項２のいずれかに記載された印刷物であって、前記節入りの日から次の節入りの日の前日までの一か月の単位が太枠、着色等の視覚効果を用いて表示され、他の一か月の単位と容易に判別することができることを特徴とする印刷物。
【請求項４】
請求項１乃至請求項３のいずれかに記載された印刷物であって、前記一か月の単位にその月に該当する年月の干支、九星が表示され、併せて西暦の年月が表示されていることを特徴とする印刷物。
【請求項５】
請求項１乃至請求項４のいずれかに記載された印刷物であって、前記各日付に干支、九星、六曜が表示され、併せて該当日に満月（望）と新月（朔）等の月齢が表示されていることを特徴とする印刷物。
【請求項６】
請求項１乃至請求項５のいずれかに記載された印刷物であって、該当する日の日付に二十四節気の名称が表記され、前記節入りの日の日付に節入り時刻が表示されていることを特徴とする印刷物。
【請求項７】
請求項１乃至請求項６のいずれかに記載された印刷物であって、該当する日の日付に土用入りに該当することを示す表示と土用入り時刻が表記され、前記土用入りから土用終了までの期間を着色等の視覚効果によって容易に認識することができることを特徴とする印刷物。
【請求項８】
請求項１乃至請求項７のいずれかに記載された印刷物であって、前記各日付に国際規格ＩＳＯ８６０１の定めにおける曜日、日付および日本国における祝祭日が表示されていることを特徴とする印刷物。
【請求項９】
請求項１乃至請求項８のいずれかに記載された印刷物であって、前記各一か月の単位の余白に九星気学におけるその年月に該当する九星盤の年盤および月盤が表示されていることを特徴とする印刷物。
【請求項１０】
請求項１乃至請求項９のいずれかに記載された印刷物であって、前記各一か月の単位の余白にその年月に該当する算命学における十干別の十大主星と十二大従星の表が表示されていることを特徴とする印刷物。
【考案の詳細な説明】
【技術分野】
【０００１】  本考案は、二十四節気をもとにした風習や、十二支・干支・九星気学・四柱推命・算命学等での鑑定等で広く用いられる節入りの日から次の節入りの日の前日までの一か月（以下「節月」という）の単位を一目で分かるように表記したカレンダー、手帳、その他の印刷物に関する。
【背景技術】
【０００２】  現在最も広く一般に普及している日付が印刷されたカレンダー、手帳、その他の印刷物では、グレゴリオ暦の１日を各月の始まりとし、その一覧可能な範囲の最後尾にグレゴリオ暦におけるその月の末日を配置し一か月と認識する構成になっている。【０００３】  一方で、二十四節気をもとにした風習や習慣、文化的伝統行事および十二支・干支・九星気学・四柱推命・算命学等の鑑定等では、「節月」を一か月として認識し用いており、グレゴリオ暦を用いたカレンダー、手帳、その他の印刷物で認識される一か月との間に、月始と月末にそれぞれ数日のずれが存在する。【０００４】  このずれにより、グレゴリオ暦の表記を用いては「節月」を一覧可能な範囲で認識することができず、複数枚の紙葉を交互にめくり閲覧参照する必要がある等の欠点があった。【０００５】  この点、グレゴリオ暦のカレンダーにおいて節入りの日等を併記したものは提案されている（例えば、特許文献１参照）。しかし、あくまで一か月の単位や一覧可能な範囲が、あくまでグレゴリオ暦に従って表示されているため、「節月」を容易に認識することができないことには変わりがない問題があった。【０００６】  ここに、二十四節気は、太陽年を日数（平気法）あるいは太陽の黄道上の視位置（定気法）によって二十四等分し、その分割点を含む日に季節を表す名称を付したもので、一年を十二の「中気」と十二の「節気」に分類し、それらに季節を表す名前がつけられたものであり、日本では天保暦から、黄道の春分点を起点とする１５度ずつの２４分点に分け、太陽がこの点を通過する時を二十四節気としている。【０００７】  節入りの日とは、二十四節気において正節とされる節気を指し、具体的には、立春、啓蟄、清明、立夏、芒種、小暑、立秋、白露、寒露、立冬、大雪、小寒を指す。【０００８】  節気から次の節気の前日までの間を一か月とする月の区切り方を「節切り」、その月を「節月」といい、日本において占いや年中行事を記す暦注の中で節切りによるものがよく使われ、また季語の分類も主として節切りで行われている。【０００９】  「節月」の単位がグレゴリオ暦における一か月の単位と異なるが故に、九星気学・四柱推命・算命学等での鑑定結果を鑑定者が鑑定依頼者に伝えた際に、鑑定依頼者が誤認混同し、鑑定結果やアドバイスの日付を誤って用いる等の事象が生じ、鑑定結果やアドバイスを有効に活かすことができない不都合が認められている。【００１０】  鑑定結果とは、主に人生上の重大な決断を実行する期間や日付、また運気の向上を目的として様々な行動を行う期間や日付等で、例えば、婚姻入籍、転居、転職、祐気取り等の時期や具体的な日付等がこれにあたる。【００１１】  二十四節気は、日本古来の風習や習慣および文化的伝統行事を執り行う上で欠くことができない節目を示す日であり、土用に関しては、土木建築業、造園業、掘削業、農業等において、その作業工程を慣習に基づいて計画実施する上で留意すべき非常に重要な期間である。【００１２】  一方で、グレゴリオ暦は、現代の一般社会生活を営む上で無視することのできない共通概念、共通認識であり、クルゴリオ暦と「節月」とを共に参照、併用、留意して用いる必要が求められる。
【先行技術文献】
【特許文献】
【００１３】
【特許文献１】  実用新案登録第３１６８７５７号公報
【考案の概要】
【考案が解決しようとする課題】
【００１４】  上記したカレンダーは、節入りの日から次の節入りの日の前日までの期間、つまり「節月」をあらわす表示はあるものの、一覧可能な範囲に各日付枠をもって「節月」の表記はされておらず、あくまでもグレゴリオ暦における配置を表記したものに節入りの日や九星等の表示を示したものである。【００１５】  日付が印刷されたカレンダー、手帳、その他の印刷物を使用する目的の多くは、未来の計画、過去の出来事の記録確認、特定の日とその前後の日との関係を照らすこと、長期にわたる物事の継続性や計画の実現性を検討確認すること等であり、一か月の区切りを一覧可能な範囲で把握することは、使用目的上重要な点であるといえる。【００１６】  上記したカレンダーは、「節月」が一覧可能な範囲に印刷されておらず、あくまでもグレゴリオ暦における日付区切りを採用し表示している故に、鑑定結果、習慣、文化的行事等を実行する目的で「節月」を認識するために複数枚の紙葉を交互にめくり閲覧参照する必要があるという使用上の課題が解決されていない。
【課題を解決するための手段】
【００１７】  上記課題を解決するために、本考案では、各月の始まりを二十四節気の節入りの日、各月の終わりを次の節入りの日の前日とし、これを一か月の単位として一覧可能な範囲に表示し、各月各日に干支、九星、六曜、月齢を表記し、それぞれを一目で認識することができるように構成している。【００１８】  本考案では、グレゴリオ暦における日付表記に節入日をはじめとする干支、九星の表示を当てはめるのではなく、根本的に軸を転換し、一覧可能な範囲に「節月」を日付表記し区切ったのち、これに対しグレゴリオ暦における日付、曜日、および日本国における祝祭日を当てはめたものである。【００１９】  併せて、節月の単位を太枠、着色等の視覚効果を用いて容易に判別することができるよう表示した。【００２０】  更に、土用入りに該当する日を示す表示と土用入りの時刻を表記し、土用入りの日から土用終了の日までの期間を着色等の視覚効果によって容易に認識することができるよう表示した。【００２１】  「節月」の各月の一覧可能な範囲の余白にその年と月の九星盤である年盤と月盤を配置し、九星気学等の技法を用いて鑑定する際に誤認することなく効率的に鑑定できるようにした。【００２２】  「節月」の各月の一覧可能な範囲の余白にその年と月の十干別の十大主星と十二大従星を表にして表示することで、算命学の技法を用いて鑑定する際に誤認することなく効率的に鑑定できるようにした。【００２３】  以上を踏まえ、本考案は、具体的には、上記の課題を解決するための第１の手段として、日付が印刷されたカレンダー、手帳、その他の印刷物であって、日付が節入りの日から次の節入りの日の前日までを一か月単位として印刷されたことを特徴とする印刷物を提供するものである。【００２４】  また、本考案は、上記の課題を解決するための第２の手段として、上記第１の解決手段において、少なくとも節入りの日から次の節入りの日の前日までの一か月の単位が一覧可能な範囲に表示されていることを特徴とする印刷物を提供するものである。【００２５】  本考案は、上記の課題を解決するための第３の手段として、上記第１又は第２のいずれかの解決手段において、節入りの日から次の節入りの日の前日までの一か月の単位が太枠、着色等の視覚効果を用いて表示され、他の一か月の単位と容易に判別することができることを特徴とする印刷物を提供するものである。【００２６】  本考案は、上記の課題を解決するための第４の手段として、上記第１乃至第３のいずれかの解決手段において、一か月の単位にその月に該当する年月の干支、九星が表示され、併せて西暦の年月が表示されていることを特徴とする印刷物を提供するものである。【００２７】  本考案は、上記の課題を解決するための第５の手段として、上記第１乃至第４のいずれかの解決手段において、各日付に干支、九星、六曜が表示され、併せて該当日に満月（望）と新月（朔）等の月齢が表示されていることを特徴とする印刷物を提供するものである。【００２８】  本考案は、上記の課題を解決するための第６の手段として、上記第１乃至第５のいずれかの解決手段において、該当する日の日付に二十四節気の名称が表記され、節入りの日の日付に節入り時刻が表示されていることを特徴とする印刷物を提供するものである。【００２９】  本考案は、上記の課題を解決するための第７の手段として、上記第１乃至第６のいずれかの解決手段において、該当する日の日付に土用入りに該当することを示す表示と土用入り時刻が表記され、土用入りから土用終了までの期間を着色等の視覚効果によって容易に認識することができることを特徴とする印刷物を提供するものである。【００３０】  本考案は、上記の課題を解決するための第８の手段として、上記第１乃至第７のいずれかの解決手段において、各日付に国際規格ＩＳＯ８６０１の定めにおける曜日、日付および日本国における祝祭日が表示されていることを特徴とする印刷物を提供するものである。【００３１】  本考案は、上記の課題を解決するための第９の手段として、上記第１乃至第３８いずれかの解決手段において、各一か月の単位の余白に九星気学におけるその年月に該当する九星盤の年盤および月盤が表示されていることを特徴とする印刷物を提供するものである。【００３２】  本考案は、上記の課題を解決するための第１０の手段として、上記第１乃至第９のいずれかの解決手段において、各一か月の単位の余白にその年月に該当する算命学における十干別の十大主星と十二大従星の表が表示されていることを特徴とする印刷物を提供するものである。
【考案の効果】
【００３３】  以上の説明から明らかなように、本考案にあっては次に列挙する効果が得られる。
（１）この考案によると、カレンダー、手帳、その他の印刷物を用いて「節月」を認識するために、複数枚の印刷物を交互にめくり閲覧参照する不便が解消する。
（２）節入りの日および土用入りの日を容易に知ることができ、風習や文化的行事、および、土木建築業、造園業、掘削業、農業等において業務を執り行う上で誤認リスクが軽減し利便性が向上する。
（３）九星気学・四柱推命・算命学等において、鑑定者が鑑定結果を得る上で誤認することなく効率的に鑑定できる等、利便性が向上する。
（４）九星気学・四柱推命・算命学等において、鑑定依頼者が鑑定結果を実行する上で誤認リスクが軽減し、「節月」を正しく理解できることで鑑定結果を有効に活かすことができる。
（５）節入りおよび土用入りの時刻を容易に知ることができ、九星気学・四柱推命・算命学等における鑑定結果をより厳密に活かすことができる。
【図面の簡単な説明】
【００３４】
【図１】  本考案を実施するための最良の第１の形態である月表示の一例を示す正面図である。
【考案を実施するための形態】
【００３５】  以下、この考案の実施の形態を図示例に基づいて説明する。なお、図示の実施の形態では、印刷物がカレンダーであるのが示されているが、特にこれに限定されるものではなく、手帳などのほかの印刷物とすることもできる。
【００３６】  図示のように、本考案は「節月」の各月表示、即ち、日付が節入りの日から次の節入りの日の前日までを一か月単位として印刷され、この節入りの日から次の節入りの日の前日までの一か月の単位が一覧可能な範囲に表示されてなり、これに図１のように、各月の干支１７と九星１８をグレゴリオ暦の月表示に並べて記載するものである。
【００３７】  各月には、国際規格ＩＳＯ８６０１の定めにおける曜日１９を配置し、これに合わせて日付２０を表示、該当があれば日本国における祝祭日２１を表示する。
【００３８】  各月の節入りの日１は太字、着色等の視覚効果により目立つよう表示し、該当する二十四節気の名称３、９と節入りの時刻２を表示する。
【００３９】  各月の「節月」の期間を、太線１３、１４等で囲って判別しやすく表示する。
【００４０】  グレゴリオ暦における月末日を過ぎて翌月に至った場合でも、「節月」の期間が経過していない限りは該当の一覧可能な範囲にとどめ、次の一覧可能な範囲には移行しない。
【００４１】  各日付部分には、該当する干支４、九星５、六曜６を表示する。
【００４２】  土用期間の該当がある月では、土用入りの日１０と土用入りの時刻１１を表示する。
【００４３】  土用期間の該当がある月では、土用期間を着色１２等により視覚的にその期間が判別できるよう表示する。
【００４４】  各月の該当する日に、満月（望）７、新月（朔）８等の月齢を表示する。
【００４５】  各月の余白２２に、その年と月に該当する九星盤の年盤と月盤２３、算命学における十干別の十大主星と十二大従星の表２４のいずれかまたは両方を表示する。
【００４６】  符号１から２４を一覧可能な範囲２５に配置する。
【符号の説明】
【００４７】１    節入りの日
２    節入りの時刻
３    節入りの日における二十四節気の名称
４    各日の干支
５    各日の九星
６    各日の六曜
７    月齢−満月（望）
８    月齢−新月（朔）
９    中節日における二十四節気の名称
１０  土用入りの日
１１  土用入りの時刻
１２  着色等により判別し易くした土用期間
１３  節月の始まりの区切り
１４  節月の終わりの区切り
１５  年の干支
１６  年の九星
１７  月の干支
１８  月の九星
１９  各日の曜日
２０  各日の日付
２１  日本国における祝祭日
２２  余白
２３  九星盤の年盤と月盤
２４  算命学における各年月の十大主星と十二大従星の表
２５  符号１から２４を一覧可能な範囲に配置
【図１】
0003204351.tif 000003
【手続補正書】
【提出日】平成28年3月3日(2016.3.3)
【手続補正１】
【補正対象書類名】実用新案登録請求の範囲
【補正対象項目名】請求項１
【補正方法】変更
【補正の内容】
【請求項１】
日付が印刷されたカレンダーまたは手帳であって、前記日付が節入りの日から次の節入りの日の前日までをひと月の単位として区切り、印刷されたことを特徴とする印刷物。